(57)【要約】【課題】調節された視度が容易にずれない視度調節装置を提供すること。【解決手段】接眼光学系２Ａを光軸方向に移動させる接眼光学系移動手段３と、接眼光学系移動手段３の光軸方向の移動量を調節し、光軸を回転軸とする光軸回転方向に回転可能であり、かつ、光軸方向に移動可能である視度調節リング４と、光軸方向に対して、視度調節リング４が回転可能となる位置である回転可能位置Ａ１または視度調節リング４が回転不能となる位置である回転不能位置Ｂ１に、視度調節リング４を係合する係合手段５と、視度調節リング４を回転不能位置Ｂ１に係合する際に、視度調節リング４の光軸回転方向の回転を制限する回転制限手段６とを備えて成ることを特徴とする視度調節装置２である。【選択図】          図２
2005301078.tif 000002
【特許請求の範囲】
【請求項１】
接眼光学系を光軸方向に移動させる接眼光学系移動手段と、
前記接眼光学系移動手段の光軸方向の移動量を調節し、前記光軸を回転軸とする光軸回転方向に回転可能であり、かつ、前記光軸方向に移動可能である視度調節リングと、
前記光軸方向に対して、前記視度調節リングが回転可能となる位置である回転可能位置または前記視度調節リングが回転不能となる位置である回転不能位置に、前記視度調節リングを係合する係合手段と、
前記視度調節リングを前記回転不能位置に係合する際に、前記視度調節リングの前記光軸回転方向の回転を制限する回転制限手段と
を備えて成ることを特徴とする視度調節装置。
【請求項２】
前記接眼光学系移動手段は、前記接眼光学系を内部に収納する接眼内筒と、前記接眼内筒を内部に収納する接眼外筒と、
前記接眼外筒の周側面に、かつ、前記光軸方向に傾斜して形成されたカム孔と、前記接眼内筒に設けられるとともに、前記カム孔に沿って移動するカム孔用ピンと
を備えて成ることを特徴とする前記請求項１記載の視度調節装置。
【請求項３】
前記係合手段は、前記視度調節リングの周側面に形成された配置孔と、
前記配置孔に配置される係合片と、
前記係合片を光軸直交方向に付勢する付勢手段と、
前記接眼外筒の外周面および周方向に形成され、前記係合片に対して前記回転可能位置で係合する第１係合溝、ならびに前記接眼外筒の外周面および周方向に形成され、前記係合片に対して前記回転不能位置で係合する第２係合溝と
を備えて成ることを特徴とする前記請求項２に記載の視度調節装置。
【請求項４】
前記係合手段は、前記視度調節リングの内周面および前記回転可能位置に形成される第１テーパー、ならびに前記視度調節リングの内周面および前記回転不能位置に形成される第２テーパーと、
前記接眼外筒の外周面に形成された配置凹部と、
前記配置凹部に配置されるとともに、前記第１テーパーまたは第２テーパーと係合して前記視度調節リングを光軸直交方向に付勢する付勢係合片と
を備えて成ることを特徴とする前記請求項２に記載の視度調節装置。
【請求項５】
前記回転制限手段は、前記接眼外筒の周側面に固定された固定リングと、
前記固定リングに形成された第１係止部と、
前記視度調節リングに形成され、前記第１係止部と光軸方向で係合する第２係止部と
を備えて成ることを特徴とする前記請求項２〜請求項４のいずれか１項に記載の視度調節装置。
【請求項６】
前記回転制限手段は、前記接眼外筒の周側面に固定された固定リングと、
前記固定リングに形成された第１係止部と、
前記視度調節リングに形成され、前記第１係止部と光軸直交方向で係合する第２係止部と
を備えて成ることを特徴とする前記請求項２〜請求項４のいずれか１項に記載の視度調節装置。
【発明の詳細な説明】
【技術分野】
【０００１】
本発明は、視度調節装置に関し、詳しくは、スチルカメラ、ビデオカメラ、双眼鏡等に使用される視度調節装置に関する。
【背景技術】
【０００２】
従来から、スチルカメラ、特に一眼レフレックスカメラ、ビデオカメラ、双眼鏡等の光学機器において、ファインダー接眼部の接眼レンズ又はその光学系の一部を、ねじ機構又はカム機構により光軸方向に移動させることにより、視度調節が行なわれている。
【０００３】
視度調節とは、眼鏡をかけなくとも、カメラのファインダーの表示や双眼鏡の目盛り等が鮮明に見えるように、接眼レンズのジオプトリーをユーザー個人の視力に応じて調節したり、双眼鏡の左右をユーザー個人の左右の視力差に合わせて視度を補正することをいう。従って、上記光学機器では、視度の微調節が可能であると共に、一旦視度調節が行われた後は、調節された視度が容易にずれないことが望ましい。
【０００４】
このように、調節された視度が容易にずれないようにするための手法としては、「接眼レンズ若しくは対物レンズ又はその光学系の一部分を光軸方向に移動させるレンズ移動機構と、前記レンズ移動機構が所定量移動するごとに所定の負荷変動を発生するクリックストップ機構と、前記レンズ移動機構の移動を係止しうるロック機構とを具備する視度調節装置」が提案されている（特許文献１参照）。
【０００５】
また、「視度環を接眼レンズの光軸回りに回転させることにより、該接眼レンズをその光軸と平行な方向に移動させる双眼鏡の視度補正機構において、前記視度環に第１の係止手段が形成され、前記双眼鏡の鏡体に前記第１の係止手段が係合可能な第２の係止手段が形成され、前記視度環は、光軸と平行な方向において、該視度環が光軸回りに回転して前記レンズを光軸と平行な方向に移動させることができる回転位置と、前記鏡体に形成されている第２の係止手段に該視度環の第１の係止手段が係合して該光軸回りに回転不能になる回転不能位置とに、移動可能に配され、前記回転不能位置における前記視度環に対して、前記回転位置方向へ所定以上の力が働かない限り、該視度環を該回転不能位置に拘束しておく視度環移動拘束手段を備えていることを特徴とする双眼鏡の視度補正機構」も提案されている（特許文献２参照）。
【０００６】
【特許文献１】特開平１１−２０２３８３号公報（請求項１）
【特許文献２】実用新案登録第２６００８２１号公報（請求項１）
【０００７】
しかしながら、前述の特許文献１、２記載の発明においては、未だ、視度の微調節が可能でなく、調節された視度がずれてしまうという問題点がある。
【発明の開示】
【発明が解決しようとする課題】
【０００８】
本発明は、このような従来の問題点を解消し、調節された視度が容易にずれない視度調節装置を提供することをその課題とする。
【課題を解決するための手段】
【０００９】
前記課題を解決するための手段は、接眼光学系を光軸方向に移動させる接眼光学系移動手段と、前記接眼光学系移動手段の光軸方向の移動量を調節し、前記光軸を回転軸とする光軸回転方向に回転可能であり、かつ、前記光軸方向に移動可能である視度調節リングと、前記光軸方向に対して、前記視度調節リングが回転可能となる位置である回転可能位置または前記視度調節リングが回転不能となる位置である回転不能位置に、前記視度調節リングを係合する係合手段と、前記視度調節リングを前記回転不能位置に係合する際に、前記視度調節リングの前記光軸回転方向の回転を制限する回転制限手段とを備えて成ることを特徴とする視度調節装置である。
【００１０】
この発明に係る視度調節装置の好適な態様においては、前記接眼光学系移動手段は、前記接眼光学系を内部に収納する接眼内筒と、前記接眼内筒を内部に収納する接眼外筒と、前記接眼外筒の周側面に、かつ、前記光軸方向に傾斜して形成されたカム孔と、前記接眼内筒に設けられるとともに、前記カム孔に沿って移動するカム孔用ピンとを備えて成る。
【００１１】
この発明に係る視度調節装置の好適な態様においては、前記係合手段は、前記視度調節リングの周側面に形成された配置孔と、前記配置孔に配置される係合片と、前記係合片を光軸直交方向に付勢する付勢手段と、前記接眼外筒の外周面および周方向に形成され、前記係合片に対して前記回転可能位置で係合する第１係合溝、ならびに前記接眼外筒の外周面および周方向に形成され、前記係合片に対して前記回転不能位置で係合する第２係合溝とを備えて成る。
【００１２】
この発明に係る視度調節装置の好適な態様においては、前記係合手段は、前記視度調節リングの内周面および前記回転可能位置に形成される第１テーパー、ならびに前記視度調節リングの内周面および前記回転不能位置に形成される第２テーパーと、前記接眼外筒の外周面に形成された配置凹部と、前記配置凹部に配置されるとともに、前記第１テーパーまたは第２テーパーと係合して前記視度調節リングを光軸直交方向に付勢する付勢係合片とを備えて成る。
【００１３】
この発明に係る視度調節装置の好適な態様においては、前記回転制限手段は、前記接眼外筒の周側面に固定された固定リングと、前記固定リングに形成された第１係止部と、前記視度調節リングに形成され、前記第１係止部と光軸方向で係合する第２係止部とを備えて成る。
【００１４】
この発明に係る視度調節装置の好適な態様においては、前記回転制限手段は、前記接眼外筒の周側面に固定された固定リングと、前記固定リングに形成された第１係止部と、前記視度調節リングに形成され、前記第１係止部と光軸直交方向で係合する第２係止部とを備えて成る。
【発明の効果】
【００１５】
本発明によれば、接眼光学系移動手段と、視度調節リングと、係合手段と、回転制限手段とを備えて成ることにより、まず、前記視度調節リングが係合手段により回転可能位置にある際に、接眼光学系移動手段が視度調節リングによって光軸方向の移動量を調節される。そして、前記視度調節リングが係合手段により回転不能位置にある際に、回転制限手段により前記視度調節リングの前記光軸回転方向の回転を制限するので、調節された視度が容易にずれない視度調節装置を提供することができる。
【００１６】
本発明によれば、前記接眼光学系移動手段は、接眼内筒と、接眼外筒と、カム孔と、カム孔用ピンとを備えて成ることにより、カム孔用ピンを動かすことで、接眼内筒が光軸方向に移動するので、接眼光学系を自在に光軸方向に移動させることができる。
【００１７】
本発明によれば、前記係合手段は、配置孔と、係合片と、付勢手段と、第１係合溝ならびに第２係合溝とを備えて成ることにより、前記視度調節リングを移動させる際に、接眼外筒の外周面に形成された第１係合溝または第２係合溝に係合片が接触していると、係合片を付勢手段が付勢することにより前記視度調節リングを係合して、確実に固定することができる。また、前記視度調節リングを移動させる際に、接眼外筒の外周面の第１係合溝および第２係合溝を除く部分に係合片が接触していると、係合片を付勢手段が付勢しつつ、前記視度調節リングをスムーズに移動させることができる。
【００１８】
本発明によれば、前記係合手段は、第１テーパーならびに第２テーパーと、配置凹部と、付勢係合片とを備えて成ることにより、前記視度調節リングを移動させる際に、前記視度調節リングを移動させる際に、接眼外筒の外周面に形成された第１テーパーまたは第２テーパーに付勢係合片が接触していると、付勢係合片が付勢することにより前記視度調節リングを係合して、確実に固定することができる。また、前記視度調節リングを移動させる際に、接眼外筒の外周面の第１テーパーおよび第２テーパーを除く部分に付勢係合片が接触していると、付勢係合片が付勢しつつ、前記視度調節リングをスムーズに移動させることができる。
【００１９】
本発明によれば、前記回転制限手段は、固定リングと、第１係止部と、前記第１係止部と光軸方向で係合する第２係止部とを備えて成ることにより、光軸直交方向に関して、部品の占めるスペースを少なくすることができる。
【００２０】
本発明によれば、前記回転制限手段は、固定リングと、第１係止部と、前記第１係止部と光軸直交方向で係合する第２係止部とを備えて成ることにより、光軸方向に関して、部品の占めるスペースを少なくすることができる。
【発明を実施するための最良の形態】
【００２１】
［第１実施形態］
［双眼鏡］
図１は、本発明に係る双眼鏡の全体を示す平面図を示している。本発明に係る双眼鏡１は、本発明に係る視度調節装置２を備えて成る。ここで、図２は、本発明の第１実施形態に係る視度調節装置を示す断面図を示している。また、図３は、本発明の第１実施形態に係る視度調節装置を示す分解斜視図を示している。
【００２２】
［視度調節装置］
視度調節装置２は、接眼光学系２Ａのジオプトリーを使用者個人の視力に応じて調節する装置であり、図２および図３に示されるように、接眼光学系移動手段３と、視度調節リング４と、係合手段５と、回転制限手段６とを備えて成る。
【００２３】
［接眼光学系移動手段］
前記接眼光学系移動手段３は、接眼光学系２Ａを光軸方向に移動させる。ここで、前記接眼光学系移動手段３は、接眼内筒７と、接眼外筒８と、カム孔９と、カム孔用ピン１０とを備えて成る。
【００２４】
接眼光学系２Ａは、接眼レンズを１つまたは２つ以上組み合わせて成る。ここで、接眼レンズの材質としては、接眼レンズに用いる公知の材質を使用できる。なお、接眼光学系２Ａの中心軸Ｘ１は、本発明に係る視度調節装置の光軸と一致している。
【００２５】
接眼内筒７は、前記接眼光学系２Ａを内部に収納し、断面視、略円形状である。接眼内筒７の中心軸は、光軸と一致している。
【００２６】
接眼外筒８は、前記接眼内筒７を内部に収納し、断面視、略円形状である。接眼外筒８の中心軸は、光軸と一致している。
【００２７】
カム孔９は、前記接眼外筒８の周側面に、かつ、前記光軸方向に傾斜して形成されてなる。このカム孔９の光軸方向の傾斜は、接眼光学系２Ａの移動量に応じて適宜選択される。例えば、このカム孔９の光軸方向の傾斜が大きければ、前記前記視度調節リング４の回転量が小さい場合でも、接眼光学系２Ａの移動量が大きくなる。また反対に、このカム孔９の光軸方向の傾斜が小さければ、前記前記視度調節リング４の回転量が大きい場合でも、接眼光学系２Ａの移動量が小さくなる。
【００２８】
カム孔用ピン１０は、前記接眼内筒７に設けられるとともに、前記カム孔９に沿って移動する。このカム孔用ピン１０は、接眼外筒８の内部から接眼外筒８の外周面に突出する大きさ、形状に形成されていればよい。
【００２９】
［視度調節リング］
視度調節リング４は、前記接眼光学系移動手段３の光軸方向の移動量を調節し、前記光軸を回転軸とする光軸回転方向に回転可能であり、かつ、前記光軸方向に移動可能である。ここで、視度調節リング４は、略円環状に形成されて成る。なお、視度調節リング４には、下側端面から上側に向かって略四角形状の切り欠き部４Ａが形成されている。この切り欠き部４Ａは、カム孔用ピン１０と係合する。
【００３０】
［係合手段］
前記係合手段５は、前記光軸方向に対して、前記視度調節リング４が回転可能となる位置である回転可能位置Ａ１または前記前記視度調節リング４が回転不能となる位置である回転不能位置Ｂ１に、前記視度調節リング４を係合する。
【００３１】
ここで、前記係合手段５は、配置孔１１と、係合片１２と、付勢手段１３と、第１係合溝１４ならびに第２係合溝１５とを備えて成る。
【００３２】
配置孔１１は、前記視度調節リング４の周側面に形成されて成る。この配置孔１１の形状は、略四角形状である。
【００３３】
係合片１２は、前記配置孔１１に配置される。この係合片１２は、略円柱形状に形成されて成る。係合片１２の形状としては、その他、球形状であってもよい。また、この係合片１２は、本実施形態においては、プラスチック、金属等硬い材質の部材から形成されてなる。この係合片１２は、例えば、ゴム等の、弾性を有する部材で形成されていてもよい。
【００３４】
付勢手段１３は、前記係合片１２を光軸直交方向に付勢する。この付勢手段１３は、本実施形態においては、板バネであるが、これに限られず、付勢手段１３は、ゴム等の材質で形成されて成るものでもよい。
【００３５】
第１係合溝１４は、前記接眼外筒８の外周面および周方向に形成され、前記係合片１２に対して前記回転可能位置Ａ１で係合する。この第１係合溝１４の太さ、深さは、係合片１２が係合することができるような太さ、深さであればよい。なお、第１係合溝１４は、図２、３中、上側に形成されてなる。
【００３６】
第２係合溝１５は、前記接眼外筒８の外周面および周方向に形成され、前記係合片１２に対して前記回転不能位置Ｂ１で係合する。この第２係合溝１５の太さ、深さは、係合片１２が係合することができるような太さ、深さであればよい。なお、第２係合溝１５は、第１係合溝１４に対して図２、３中下側に形成されてなる。
【００３７】
［回転制限手段］
前記回転制限手段６は、前記視度調節リング４を前記回転不能位置Ｂ１に係合する際に、前記視度調節リング４の前記光軸回転方向の回転を制限する。
【００３８】
ここで、前記回転制限手段６は、固定リング１６と、第１係止部１７と、第２係止部１８とを備えて成る。
【００３９】
固定リング１６は、前記接眼外筒８の周側面に、かつカム孔９の下方に固定される。
【００４０】
第１係止部１７は、前記固定リング１６の光軸方向に面した端面に形成されて成る。本実施形態において、第１係止部１７は、複数の歯が、前記固定リング１６の光軸方向に面した端面に形成されて成る。
【００４１】
第２係止部１８は、前記視度調節リング４に形成され、前記第１係止部１７と光軸方向で係合する。本実施形態において、第２係止部１８は、複数の歯が、前記視度調節リング４の光軸方向に面した端面に、前記第１係止部１７と対向するように形成されて成る。
【００４２】
なお、カバーリング１９が、前記視度調節リング４の外周面側に固定される。このカバーリング１９は、付勢手段１３を光学直交方向に光軸に向かって押圧する。
【００４３】
［視度調節装置の作用および効果］
ここで、図４は、前記視度調節リング４が回転可能位置Ａ１にある際の視度調節装置の作用を説明する概略図を示している。また、図５は、前記視度調節リング４が回転可能位置Ａ１または回転不能位置Ｂ１のどちらにもない際の視度調節装置の作用を説明する概略図を示している。さらに、図６は、前記視度調節リング４が回転不能位置Ｂ１にある際の視度調節装置の作用を説明する概略図を示している。
【００４４】
まず、前記視度調節リング４が係合手段５により回転可能位置Ａ１にある際に、接眼光学系移動手段３が視度調節リング４によって光軸方向の移動量を調節される。
【００４５】
この際、付勢手段１３が、カバーリング１９によって、光学直交方向に光軸に向かって押圧される。そして、図４に示されるように、係合片１２が、押圧された付勢手段１３によって、光学直交方向に光軸に向かって付勢される。これにより、係合片１２が、第１係合溝１４と係合する。
【００４６】
次に、前記視度調節リング４を光軸方向に移動させ、前記視度調節リング４が回転可能位置Ａ１または回転不能位置Ｂ１のどちらにもない位置にある場合を説明する（図５参照）。この際、係合片１２と第１係合溝１４との係合が解かれる。係合片１２は、付勢手段１３を光学直交方向に光軸の反対方向に向かって押し戻すこととなる。
【００４７】
さらに、前記視度調節リング４が係合手段５により回転不能位置Ｂ１にある場合を説明する（図６参照）。この際、付勢手段１３が、カバーリング１９によって、光学直交方向に光軸に向かって押圧される。そして、図６に示されるように、係合片１２が、押圧された付勢手段１３によって、光学直交方向に光軸に向かって付勢される。これにより、係合片１２が、第２係合溝１５と係合する。
【００４８】
ここで、回転制限手段６により前記視度調節リング４は、前記光軸回転方向の回転を制限される。具体的には、第１係止部１７と第２係止部１８とが、互いに係合し、視度調節リング４は、固定リング１６に係止された状態となる。
【００４９】
（１）したがって、上記したように、前記視度調節リング４が係合手段５により回転不能位置Ｂ１にある際に、回転制限手段６により前記視度調節リング４の前記光軸回転方向の回転を制限するので、調節された視度が容易にずれない視度調節装置２を提供することができる。
【００５０】
（２）前記接眼光学系移動手段３は、接眼内筒７と、接眼外筒８と、カム孔９と、カム孔用ピン１０とを備えて成ることにより、カム孔用ピン１０を動かすことで、接眼内筒７が光軸方向に移動するので、接眼光学系２Ａを自在に光軸方向に移動させることができる。
【００５１】
（３）前記係合手段５は、配置孔１１と、係合片１２と、付勢手段１３と、第１係合溝１４ならびに第２係合溝１５とを備えて成ることにより、前記視度調節リング４を移動させる際に、接眼外筒８の外周面に形成された第１係合溝１４または第２係合溝１５に係合片１２が接触している（図４および図６参照）と、係合片１２を付勢手段１３が付勢することにより前記視度調節リング４を係合して、確実に固定することができる。また、前記視度調節リング４を移動させる際に、接眼外筒８の外周面の第１係合溝１４および第２係合溝１５を除く部分に係合片１２が接触している（図５参照）と、係合片１２を付勢手段１３が付勢しつつ、前記視度調節リング４をスムーズに移動させることができる。
【００５２】
（４）前記回転制限手段６は、固定リング１６と、第１係止部１７と、前記第１係止部１７と光軸方向で係合する第２係止部１８とを備えて成ることにより、光軸直交方向に関して、部品の占めるスペースを少なくすることができる。
【００５３】
［第２実施形態］
本発明に係る視度調節装置は、前記第１実施形態に係る視度調節装置２のみならず、以下に説明する第２実施形態に係る視度調節装置２２の態様も挙げられる。以下に、本発明の第２実施形態に係る視度調節装置２２を説明する。
【００５４】
ここで、図７は、本発明の第２実施形態に係る視度調節装置を示す断面図を示している。また、図８は、本発明の第２実施形態に係る視度調節装置を示す分解斜視図を示している。
【００５５】
［視度調節装置］
視度調節装置２２は、接眼光学系２２Ａのジオプトリーを使用者個人の視力に応じて調節する装置であり、図７および図８に示されるように、接眼光学系移動手段２３と、視度調節リング２４と、係合手段２５と、回転制限手段２６とを備えて成る。
【００５６】
［接眼光学系移動手段］
前記接眼光学系移動手段２３は、接眼光学系２２Ａを光軸方向に移動させる。ここで、前記接眼光学系移動手段２３は、接眼内筒２７と、接眼外筒２８と、カム孔２９と、カム孔用ピン３０とを備えて成る。
【００５７】
接眼光学系２２Ａは、接眼レンズを１つまたは２つ以上組み合わせて成る。ここで、接眼レンズの材質としては、接眼レンズに用いる公知の材質を使用できる。なお、接眼光学系２Ａの中心軸Ｘ２は、本発明に係る視度調節装置の光軸と一致している。
【００５８】
接眼内筒２７は、前記接眼光学系２２Ａを内部に収納し、断面視、略円形状である。接眼内筒２７の中心軸は、光軸と一致している。
【００５９】
接眼外筒２８は、前記接眼内筒２７を内部に収納し、断面視、略円形状である。接眼外筒２８の中心軸は、光軸と一致している。
【００６０】
カム孔２９は、前記接眼外筒２８の周側面に、かつ、前記光軸方向に傾斜して形成されてなる。このカム孔２９の光軸方向の傾斜は、接眼光学系２２Ａの移動量に応じて適宜選択される。例えば、このカム孔２９の光軸方向の傾斜が大きければ、前記前記視度調節リング２４の回転量が小さい場合でも、接眼光学系２２Ａの移動量が大きくなる。また反対に、このカム孔２９の光軸方向の傾斜が小さければ、前記前記視度調節リング２４の回転量が大きい場合でも、接眼光学系２２Ａの移動量が小さくなる。
【００６１】
カム孔用ピン３０は、前記接眼内筒２７に設けられるとともに、前記カム孔２９に沿って移動する。このカム孔用ピン３０は、接眼外筒２８の内部から接眼外筒２８の外周面に突出する大きさ、形状に形成されていればよい。
【００６２】
［視度調節リング］
視度調節リング２４は、前記接眼光学系移動手段２３の光軸方向の移動量を調節し、前記光軸を回転軸とする光軸回転方向に回転可能であり、かつ、前記光軸方向に移動可能である。ここで、視度調節リング２４は、略円環状に形成されて成る。なお、視度調節リング２４には、下側端面から上側に向かって略四角形状の切り欠き部２４Ａが形成されている。この切り欠き部２４Ａは、カム孔用ピン３０と係合する。
【００６３】
［係合手段］
前記係合手段２５は、前記光軸方向に対して、前記視度調節リング２４が回転可能となる位置である回転可能位置Ａ２または前記前記視度調節リング２４が回転不能となる位置である回転不能位置Ｂ２に、前記視度調節リング２４を係合する。
【００６４】
ここで、前記係合手段２５は、第１テーパー３１ならびに第２テーパー３２と、配置凹部３３と、付勢係合片３４とを備えて成る。
【００６５】
第１テーパー３１は、前記視度調節リング２４の下側端縁かつ内周面および前記回転可能位置Ａ２に形成される。
【００６６】
第２テーパー３２は、前記視度調節リング２４の上側端縁かつ内周面および前記回転不能位置Ｂ２に形成される。なお、第２テーパー３２は、第１テーパー３１に対して図７、８中上側に形成されてなる。また、第１テーパー３１と第２テーパー３２とは、互いに異なる方向に傾斜して形成されて成る。
【００６７】
配置凹部３３は、前記接眼外筒２８の外周面に形成されて成る。この配置凹部３３の形状は、略四角形状である。また、本実施形態においては、配置凹部３３は、接眼外筒２８の外周面の複数箇所に形成されているが、これに限られず、配置凹部３３は、接眼外筒２８の外周面の周方向に対して形成された溝状に形成されていてもよい。
【００６８】
また、本実施形態においては、配置凹部３３は、第１テーパー３１と係合する位置に形成された第１配置凹部３３Ａと、第２テーパー３２と係合する位置に形成された第２配置凹部３３Ｂとを備えて成る。なお、第２配置凹部３３Ｂは、第１配置凹部３３Ａに対して図７、８中上側に形成されてなる。
【００６９】
付勢係合片３４は、前記配置凹部３３に配置されるとともに、前記第１テーパー３１または第２テーパー３２と係合して前記視度調節リング２４を光軸直交方向に付勢する。この付勢係合片３４は、配置凹部３３の形状に応じて形成されて成り、弾性変形をするゴム等の材質で形成されて成る。
【００７０】
［回転制限手段］
前記回転制限手段２６は、前記視度調節リング２４を前記回転不能位置Ｂ２に係合する際に、前記視度調節リング２４の前記光軸回転方向の回転を制限する。
【００７１】
ここで、前記回転制限手段２６は、固定リング３６と、第１係止部３７と、第２係止部３７とを備えて成る。
【００７２】
固定リング３６は、前記接眼外筒２８の周側面に、かつカム孔２９の下方に固定される。
【００７３】
第１係止部３７は、前記固定リング３６の光軸直交方向に面した端面に形成されて成る。本実施形態において、第１係止部３７は、複数の歯が、前記固定リング３６の光軸直交方向に面した端面に形成されて成る。
【００７４】
第２係止部３８は、前記視度調節リング２４に形成され、前記第１係止部１７と光軸直交方向で係合する。本実施形態において、第２係止部３８は、複数の歯が、前記視度調節リング４の光軸直交方向に面した内周面でありかつ第２テーパー３２の下方および外周側に段差をつけた部分に、前記第１係止部３７と対向するように形成されて成る。
【００７５】
なお、カバーリング３９が、前記視度調節リング２４の外周面側に固定される。
【００７６】
［視度調節装置の作用および効果］
ここで、図９は、前記視度調節リング４が回転可能位置Ａ２にある際の視度調節装置の作用を説明する概略図を示している。また、図１０は、前記視度調節リング４が回転可能位置Ａ２または回転不能位置Ｂ２のどちらにもない際の視度調節装置の作用を説明する概略図を示している。さらに、図１１は、前記視度調節リング４が回転不能位置Ｂ２にある際の視度調節装置の作用を説明する概略図を示している。
【００７７】
まず、前記視度調節リング２４が係合手段２５により回転可能位置Ａ２にある際に、接眼光学系移動手段２３が視度調節リング２４によって光軸方向の移動量を調節される。
【００７８】
この際、図９に示されるように、第１配置凹部３３Ａの付勢係合片３４が、弾性変形し、前記第１テーパー３１と係合する。また、第２配置凹部３３Ｂの付勢係合片３４が、弾性変形し、第２テーパー３２の図示下側の部分と接触する。
【００７９】
次に、前記視度調節リング２４を光軸方向に移動させ、前記視度調節リング４が回転可能位置Ａ２または回転不能位置Ｂ２のどちらにもない位置にある場合を説明する（図１０参照）。この際、第１配置凹部３３Ａの付勢係合片３４と第１テーパー３１との係合が解かれる。そして、第１配置凹部３３Ａの付勢係合片３４が、弾性変形し、第１テーパー３１の図示上側の部分と接触する。また、第２配置凹部３３Ｂの付勢係合片３４が、弾性変形し、第２テーパー３２の図示下側の部分と接触したままの状態となる。
【００８０】
さらに、前記視度調節リング２４が係合手段２５により回転不能位置Ｂ２にある場合を説明する（図１１参照）。この際、図１１に示されるように、第２配置凹部３３Ｂの付勢係合片３４が、弾性変形し、第２テーパー３２と係合する。また、第１配置凹部３３Ａの付勢係合片３４が、第１テーパー３１の図示上側の部分と接触したままの状態となる。
【００８１】
ここで、回転制限手段２６により前記視度調節リング２４は、前記光軸回転方向の回転を制限される。具体的には、第１係止部３７と第２係止部３８とが、互いに係合し、視度調節リング２４は、固定リング３６に係止された状態となる。
【００８２】
（１）したがって、上記したように、前記視度調節リング２４が係合手段２５により回転不能位置Ｂ２にある際に、回転制限手段２６により前記視度調節リング２４の前記光軸回転方向の回転を制限するので、調節された視度が容易にずれない視度調節装置２２を提供することができる。
【００８３】
（２）前記接眼光学系移動手段２３は、接眼内筒２７と、接眼外筒２８と、カム孔２９と、カム孔用ピン３０とを備えて成ることにより、カム孔用ピン３０を動かすことで、接眼内筒２７が光軸方向に移動するので、接眼光学系２２Ａを自在に光軸方向に移動させることができる。
【００８４】
（３）係合手段２５は、第１テーパー３１ならびに第２テーパー３２と、配置凹部３３と、付勢係合片３４とを備えて成ることにより、前記視度調節リング２４を移動させる際に、接眼外筒２８の外周面に形成された第１テーパー３１または第２テーパー３２に付勢係合片３４が接触していると、付勢係合片３４が付勢することにより前記視度調節リング２４を係合して、確実に固定することができる。また、前記視度調節リング２４を移動させる際に、接眼外筒２８の外周面の第１テーパー３１および第２テーパー３２を除く部分に付勢係合片３４が接触していると、付勢係合片３４が付勢しつつ、前記視度調節リング２４をスムーズに移動させることができる。
【００８５】
（４）回転制限手段２６は、固定リング３６と、第１係止部３７と、前記第１係止部３７と光軸直交方向で係合する第２係止部３８とを備えて成ることにより、光軸方向に関して、部品の占めるスペースを少なくすることができる。
【００８６】
なお、本発明は、前記各実施形態に限定されるものではなく、本発明の目的を達成できる範囲での変形、改良は、本発明に含まれるものである。本発明を実施する際の具体的な構造および形状等は、本発明の目的を達成できる範囲内で他の構造等としてもよい。
【００８７】
また、本発明に係る視度調節装置を適用できるのは、双眼鏡に限られず、様々な光学機器、例えば、スチルカメラ、ビデオカメラ、望遠鏡等にも適用できる。
【図面の簡単な説明】
【００８８】
【図１】図１は、本発明に係る双眼鏡の全体を示す平面図を示している。
【図２】図２は、本発明の第１実施形態に係る視度調節装置を示す断面図を示している。
【図３】図３は、本発明の第１実施形態に係る視度調節装置を示す斜視図を示している。
【図４】図４は、前記視度調節リングが回転可能位置にある際の視度調節装置の作用を説明する概略図を示している。
【図５】図５は、前記視度調節リングが回転可能位置または回転不能位置のどちらにもない際の視度調節装置の作用を説明する概略図を示している。
【図６】図６は、前記視度調節リングが回転不能位置にある際の視度調節装置の作用を説明する概略図を示している。
【図７】図７は、本発明の第２実施形態に係る視度調節装置を示す断面図を示している。
【図８】図８は、本発明の第２実施形態に係る視度調節装置を示す斜視図を示している。
【図９】図９は、前記視度調節リングが回転可能位置にある際の視度調節装置の作用を説明する概略図を示している。
【図１０】図１０は、前記視度調節リングが回転可能位置または回転不能位置のどちらにもない際の視度調節装置の作用を説明する概略図を示している。
【図１１】図１１は、前記視度調節リングが回転不能位置にある際の視度調節装置の作用を説明する概略図を示している。
【符号の説明】
【００８９】
１    双眼鏡
２    視度調節装置
２Ａ    接眼光学系
３    接眼光学系移動手段
４    視度調節リング
５    係合手段
６    回転制限手段
７    接眼内筒
８    接眼外筒
９    カム孔
１０    カム孔用ピン
１１    配置孔
１２    係合片
１３    付勢手段
１４    第１係合溝
１５    第２係合溝
１６    固定リング
１７    第１係止部
１８    第２係止部
１９    カバーリング
２２    視度調節装置
２２Ａ    接眼光学系
２３    接眼光学系移動手段
２４    視度調節リング
２５    係合手段
２６    回転制限手段
２７    接眼内筒
２８    接眼外筒
２９    カム孔
３０    カム孔用ピン
３１    第１テーパー
３２    第２テーパー
３３    配置凹部
３３Ａ    第１配置凹部
３３Ｂ    第２配置凹部
３４    付勢係合片
３６    固定リング
３７    第１係止部
３８    第２係止部
３９    カバーリング
Ａ１    回転可能位置
Ａ２    回転可能位置
Ｂ１    回転不能位置
Ｂ２    回転不能位置
Ｘ１    中心軸
Ｘ２    中心軸
【図１】
2005301078.tif 000003
【図２】
2005301078.tif 000004
【図３】
2005301078.tif 000005
【図４】
2005301078.tif 000006
【図５】
2005301078.tif 000007
【図６】
2005301078.tif 000008
【図７】
2005301078.tif 000009
【図８】
2005301078.tif 000010
【図９】
2005301078.tif 000011
【図１０】
2005301078.tif 000012
【図１１】
2005301078.tif 000013